(57)【要約】【課題】既存のスポーツ用衣服のウエスト回りを囲むことで補助的に防寒機能を発揮するウエストウォーマーを提供する。【解決手段】運動着の着用者の胴回りに運動着の上から巻装するための台ベルト２と、この台ベルト２を介してウエストの回りを囲うように設けられた防寒帯１２とを具備し、台ベルト２の表面と、防寒帯１２が有する横長の帯部材１４の裏面上端部とに、防寒帯１２の取り外し可能に相互に連結できるファスナー手段Ｆを形成するとともに、上記帯部材１４の長手方向の側端部１６、１６同士を着脱自在に接合する接合手段２０を形成した。【選択図】図１
2014156681.tif 000002
【特許請求の範囲】
【請求項１】
運動着の着用者の胴回りに運動着の上から巻装するための台ベルト(２)と、
この台ベルト(２)を介してウエストの回りを囲うように設けられた防寒帯(１２)と、
を具備し、台ベルト(２)の表面と、防寒帯(１２)が有する横長の帯部材(１４)の裏面上端部とに、防寒帯(１２)の取り外し可能に相互に連結できるファスナー手段(Ｆ)を形成するとともに、
上記帯部材(１４)の長手方向の側端部（１６、１６）同士を着脱自在に接合する接合手段(２０)を形成したことを特徴とするウエストウォーマー。
【請求項２】
上記接合手段(２０)は、上記帯部材(１４)の側端部（１６、１６）に亘って形成されるとともに、それら側端部（１６、１６）の上部のみを接合して残りの部分を開放することが可能に構成したことを特徴とする、請求項１記載のウエストウォーマー。
【請求項３】
上記接合手段(２０)は、帯部材(１４)の側端部（１６、１６）に付設された係合歯付のジッパーテープ(２２Ａ、２２Ｂ)と、一方のジッパーテープ(２２Ａ)に取り付けられた上下一対のスライドジッパー(２４、２６)とからなり、一方のジッパーテープ(２２Ａ)の両端部と他方のジッパーテープ(２２Ｂ)の上端部とにそれぞれジッパーストッパ(２８)を付設するとともに、他方のジッパーテープ(２２Ｂ)の下端部にジッパー挿入部(３０)を設け、このジッパー挿入部(３０)を介して他方のジッパーテープ(２２Ｂ)へ上記スライドジッパー(２４、２６)をかみ合わせることが可能に構成したことを特徴とする、請求項２記載のウエストウォーマー。
【請求項４】
上記ファスナー手段(Ｆ)は、一対の面ファスナーにより、上記接合手段(２０)は、上記帯部材(１４)の各側端部（１６、１６）に付設したスナップボタン(３２)及びスナップボタン嵌合穴(３４)により、それぞれ帯部材(１４)の一部を外方へ引っ張ることで分離可能に形成したことを特徴とする、請求項１記載のウエストウォーマー。
【請求項５】
上記帯部材(１４)の長手方向の中間部を後身頃(１４ａ)、残りの左右部分を左前身頃(１４ｂ)及び右前身頃(１４ｃ)とすると、後身頃(１４ａ)と左前身頃(１４ｂ)及び右前身頃(１４ｃ)との間の境目で帯部材(１４)の丈を短くしたことを特徴とする、請求項１から請求項４の何れかに記載のウエストウォーマー。
【発明の詳細な説明】
【技術分野】
【０００１】
本発明は、ウエストウォーマー、特にウィンタースポーツの際に着用するウエストウォーマーに関する。ここで「ウエストウォーマー」とは、主としてウエスト付近を覆う防寒具をいう。
【背景技術】
【０００２】
腰から太腿へ亘って適用される一般的な防寒具として、後身頃の左右両側に左前身頃と右前身頃とを連続させるとともに、右前身頃の裏面上端部と左前身頃の表面上端部に相互に接着可能な面ファスナーを設けたものが知られている（特許文献１）。
【先行技術文献】
【特許文献】
【０００３】
【特許文献１】特開２００８−１４４３３１号
【特許文献２】特開平１０−３７０１０号
【特許文献３】特許第４９４０３２０号
【発明の概要】
【発明が解決しようとする課題】
【０００４】
特許文献１の防寒具は、巻きスカートタイプであり、室内で用いるには良いが、スキーなどのスポーツには不向きである。屋外で使用すると前身頃が風で煽られるなどの問題があるからである。
【０００５】
主として首に巻く防寒具としては、マフラーなどのネックウォーマーが存在しているが、それに対して主としてウエストに巻くウエストウォーマーという分野はこれまで存在していなかった。その理由は次の通りと考えらえる。
【０００６】
一般にウィンタースポーツ用下衣（ズボンなど）及び上衣は、それ自体が防寒性を有している。このため、衣服の設計者は、別に防寒具を設けるよりも下衣及び上衣の継ぎ目から雪が入らないような工夫を行うことが多かった（特許文献２及び特許文献３）。必要であれば下衣及び上衣の防寒材の厚みを増せばよいと考えるからである。設計者の習慣として、一定の目的を出来るだけ効率的に実現しようとするから、防寒機能を有する下衣や上衣と別にウエスト用の防寒具を設けることは無駄と考えるのである。
【０００７】
しかしながら、これについては、次の点で再考の余地がある。
第一に、実際には上衣に比べて下衣の防寒が不足していることが多い。ズボンの厚みを一律に増すと膝などの動きを妨げる可能性がある。従って既存のスポーツ用下衣の腰回りをピンポイントで覆うウエストウォーマーを設けることの需要がある。
第二に、寒さに対する耐性は人それぞれであり、冷え症の人や、若い人に比べて運動量の少ない年配者に対しては、防寒の程度を高くする必要がある。
【０００８】
また従来の防寒具は、機能重視で開発されてきた面があるが、近年各メーカーが市場に提供する製品は品質面でそれほど大差がなく、それ故にデザイン面でのユニークさが需要者にアピールするための重要となっている。近年はカジュアルな服装ではあえてシャツの裾をズボンの外に出すようなことが流行っている。
【０００９】
ところが実際に上着の下に着用するシャツの裾を外に出したら、裾を出した箇所から冷気が進入する、雪面で転倒したときに服の中に雪が入るなどの問題点がある。
【００１０】
本発明の第１の目的は、既存のスポーツ用衣服のウエスト回りを囲むことで補助的に防寒機能を発揮するウエストウォーマーを提供することである。
本発明の第２の目的は、着用したままで容易に小用を足すことができ、使い勝手のよいウエストウォーマーを提案することである。
本発明の第３の目的は、一見してシャツの一部のように見え、意匠的に優れたウエストウォーマーを提案することである。
【課題を解決するための手段】
【００１１】
第１の手段は、
運動着の着用者の胴回りに運動着の上から巻装するための台ベルト２と、
この台ベルト２を介してウエストの回りを囲うように設けられた防寒帯１２と、
を具備し、台ベルト２の表面と、防寒帯１２が有する横長の帯部材１４の裏面上端部とに、防寒帯１２の取り外し可能に相互に連結できるファスナー手段Ｆを形成するとともに、
上記帯部材１４の長手方向の側端部１６、１６同士を着脱自在に接合する接合手段２０を形成した。
【００１２】
本手段は、例えば図１の如く、台ベルト２と防寒帯１２とからなるウエストウォーマー１を提案している。台ベルト２に対して防寒帯１２が着脱自在であるので使い勝手がよい。
【００１３】
第２の手段は、第１の手段を有し、かつ
上記接合手段２０は、上記帯部材１４の側端部１６、１６に亘って形成されるとともに、それら側端部１６、１６の上部のみを接合して残りの部分を開放することが可能に構成した。
【００１４】
本手段では、ウエストウォーマー１を着用したままで帯部材１４の下側を開放できるようにした（図１１参照）。故にトイレに行く場合に好都合である。
【００１５】
第３の手段は、第２の手段を有し、かつ
上記接合手段２０は、帯部材１４の側端部１６、１６に付設された係合歯付のジッパーテープ２２Ａ、２２Ｂと、一方のジッパーテープ２２Ａに取り付けられたスライドジッパー２４、２６とからなり、一方のジッパーテープ２２Ａの両端部と他方のジッパーテープ２２Ｂの上端部とにそれぞれジッパーストッパ２８を付設するとともに、他方のジッパーテープ２２Ｂの下端部にジッパー挿入部３０を設け、このジッパー挿入部３０を介して他方のジッパーテープ２２Ｂへ上記スライドジッパー２４、２６をかみ合わせることが可能に構成した。
【００１６】
本手段は、先の手段の好適な態様としてジッパー機構を提案している（図１０（Ｃ）参照）。上下一対のスライドジッパーを採用したので使い勝手がよい。
【００１７】
第４の手段は、第１の手段を有し、かつ
上記ファスナー手段Ｆは、一対の面ファスナーにより、上記接合手段２０は、上記帯部材１４の各側端部１６、１６に付設したスナップボタン３２及びスナップボタン嵌合穴３４により、それぞれ帯部材１４の一部を外方へ引っ張ることで分離可能に形成した。
【００１８】
本手段では、図１３に示すように、ファスナー手段Ｆ及び接合手段２０を、帯部材１４の一部を外方へ引っ張るように順次外すことができるようにしている。
【００１９】
第５の手段は、第１の手段から第４の手段の何れかを有し、かつ
上記帯部材１４の長手方向の中間部を後身頃１４ａ、残りの左右部分を左前身頃１４ｂ及び右前身頃１４ｃとすると、後身頃１４ａと左前身頃１４ｂ及び右前身頃１４ｃとの間の境目で帯部材１４の丈を短くした。
【００２０】
本手段は、図１５に示すように後身頃１４ａと左前身頃１４ｂ・右前身頃１４ｃとの境目で帯部材１４の丈を短くした。従ってＹシャツの一部が見えている如き外見が得られる（図１４参照）。
【発明の効果】
【００２１】
第１の手段に係る発明によれば、台ベルト２の表面と防寒帯１２の帯部材１４の裏面上端部を連結可能としたから、ウエストをピンポイントで覆うことに適しており、また着用の手順が容易である。
第２の手段乃至第３の手段に係る発明によれば、接合手段２０は、上記帯部材１４の側端部１６、１６の上部のみを接合して残りの部分を開放することが可能に構成したから、本願のウエストウォーマーを着用したままで小用を足すことができる。
第４の手段に係る発明によれば、帯部材１４の一部を外方へ引っ張る一連の動作により、ファスナー手段Ｆ及び接合手段２０を順次外すことができるので、防寒帯１２の除去が容易である。
第５の手段に係る発明によれば、後身頃１４ａと左前身頃１４ｂ及び右前身頃１４ｃとの境目で帯部材１４の丈を短くしたから、一見すると、本願のウエストウォーマーが上半身のシャツの延長のように見えるという意匠的な面白味がある。
【図面の簡単な説明】
【００２２】
【図１】本発明の第１実施形態に係るウエストウォーマーの正面図である。
【図２】図１のウエストウォーマーの背面図である。
【図３】図１のウエストウォーマーの装着状態の斜視図である。
【図４】図３のウエストウォーマーの分解斜視図である。
【図５】図１のウエストウォーマーの防寒帯の正面図である。
【図６】図５の防寒帯の背面図である。
【図７】図１のウエストウォーマーの台ベルトの正面図である。
【図８】図７の台ベルトの背面図である。
【図９】図１のウエストウォーマーの使用状態説明図である。
【図１０】図１のウエストウォーマーの装着手順を示す説明図であり、（Ａ）は台ベルトを巻き付ける段階、（Ｂ）は防寒帯を巻き付ける段階、（Ｃ）はジッパーを閉める段階を示している。
【図１１】図１のウエストウォーマーを取り外し操作の説明図である。
【図１２】本発明の第２実施形態に係るウエストウォーマーの装着状態斜視図である。
【図１３】図１２のウエストウォーマーの取り外し操作の説明図である。
【図１４】本発明の第３実施形態に係るウエストウォーマーの装着状態斜視図である。
【図１５】図１４のウエストウォーマーの防寒帯の正面図である。
【発明を実施するための最良の形態】
【００２３】
図１から図１１は、本発明の第１実施形態に係るウエストウォーマー１を示している。このウエストウォーマーは、台ベルト２と、防寒具１２とで構成している。
【００２４】
台ベルト２は、運動着（上衣の下部又は下衣の上端部）の上からウエスト上部の回りに巻き回し、固定手段により固定して装着するものである。すなわち、台ベルト２は、ベルト本体である細長いベルト板４の一方の端部６の表面と、他方の端部６の裏面とに、相互に分離可能に連結する上述の固定手段８を設けている（図８及び図４参照）。この固定手段８は、表面側の第１固定部８ａを雄・雌の面ファスナーの一方で、また裏面側の第２固定部８ｂを雄・雌の面ファスナーの他方で形成することができるが、必ずしも面ファスナーには限定されない。ベルト板４は、合成樹脂やエラストマーなどのシート、天然繊維・合成繊維などの織布或いは不織布で形成することができるが、特に限定はない。
【００２５】
上記台ベルト２のベルト板４の長手方向中間部表側には、第１ファスナー部１０を設ける（図７参照）。第１ファスナー部１０は、後述の防寒帯１２の第２ファスナー部４０に対して着脱自在に着脱自在であり、これら両者によりファスナー手段Ｆが形成されている。各ファスナー部はそれぞれ雄・雌の面ファスナーで形成することが望ましい。なお、本明細書においては、別段の説明がない限り、「表」とは身体に装着した状態で外側になる箇所を、また「裏」とは身体に装着した状態で内側になる箇所をそれぞれ言うものとする。
【００２６】
第１ファスナー部１０は、防寒帯１２に対して十分な支持力を発揮するのに十分な長さ、例えばベルト板４の長手方向の全長の半分以上とすることが望ましい。好適な図示例では、第１ファスナー部１０が防寒帯１２に対して連結するだけではなく、上記第１固定部８ａにも連結できるようにしている。
【００２７】
この構成の使用方法としては、運動着の上衣ではなく下衣（ズボン）に固定する場合に、まず第１ファスナー部１０を付設したベルト板４の長手方向中間部をズボンの複数のベルト通し（図示せず）に通す。そしてズボン前側の一対のベルト通しを折り返し点として、第１固定部８ａを付設した各端部６を反対側へ折り返し、端部６の内側へ反転させた第１固定部８ａを、上記第１ファスナー部１０の両端部に重ねて連結するとよい。なお、この構成は上述の特許文献３に開示されている。
【００２８】
防寒帯１２は、その基部を形成する帯部材１４を有する。帯部材１４は、長手方向中間部である後身頃１４ａの左右両側へ左前身頃１４ｂ及び右前身頃１４ｃを延長してなる横長の部材である。図示例では、これら左前身頃１４ｂ及び右前身頃１４ｃの先部である側端部１６は、装着操作時の把持部として単数又は複数の厚地の布材を用いて形成し、また両側端部１６の間の帯部材の上端部分１８は、長手方向の断面形状がＵ字形である折り返し部として、この折り返し部内に弾性ベルト（インナーホールドベルト）を内蔵している。この弾性ベルトの弾性力により防寒帯１２は略扇形の形状を呈示しているが、上端部分を長手方向に引っ張ると略長方形状となる。帯部材１４の下端部には縁取りをしてあり、これら端部を除く残りの部分は薄手の材料で形成している。しかしながらこれらの構造は適宜変更することができる。
【００２９】
帯部材１４の側端部１６同士の対応する縁部には、着脱自在に接合する接合手段２０を設ける。この接合手段２０は上記縁部の長手方向の一定の範囲（図示例では長手方向ほぼ全部）に亘って設けられ、その範囲全体を完全に閉鎖すること（図９に示す完全閉鎖状態）も、また長手方向の上部を除いて残りの部分を開放すること（図１１に示す一部閉鎖状態）もできるように形成する。好適な図示例では、接合手段２０としてジッパー機構を採用している。この機構は、帯部材１４の側端部１６に付設された係合歯付のジッパーテープ２２Ａ、２２Ｂと、一方のジッパーテープ２２Ａに取り付けられた上下一対のスライドジッパー２４、２６とからなり、一方のジッパーテープ２２Ａの両端部と他方のジッパーテープ２２Ｂの上端部とにそれぞれジッパーストッパ２８を付設するとともに、他方のジッパーテープ２２Ｂの下端部にジッパー挿入部３０を設け、このジッパー挿入部３０を介して他方のジッパーテープ２２Ｂへ上記スライドジッパー２４、２６をかみ合わせることが可能に構成している。
【００３０】
また上記帯部材１４の上端部裏面には、上記第１ファスナー部１０に対して着脱自在な細長い第２ファスナー部４０を形成する。第２ファスナー部４０及び第１ファスナー部１０は雌雄の面ファスナーとして形成することが好適である。第２ファスナー部４０を帯部材１４の上端部に付設することで、帯部材１４が台ベルト２を介して腰から吊り下がるようにすることができる。
【００３１】
上記構成によれば、まず図１０（Ａ）の如く運動着の上から腰の回りへ台ベルト２を巻き付け、次に同図（Ｂ）のように、この台ベルト２の表面側の第１ファスナー部１０に防寒帯１２の上端部裏面の第２ファスナー部４０に取り付けることで防寒帯１２を腰に取り付けることができる。次に同図（Ｃ）のように一方のジッパーテープ２２Ａに付設した上下一対のスライドジッパー２４、２６を、他方のジッパーテープ２２Ｂのジッパー挿入部３０にかみ合わせ、そして上側のスライドジッパー２４を他方のジッパーテープ２２Ｂの上端まで引き上げることで本発明の防寒帯１２を装着することができる。ジッパーを操作する間、帯部材１４は台ベルト２によって支えられており、帯部材１４を手で押さえる必要がないので、上述のジッパーの操作が容易となる。
【００３２】
ウエストウォーマー１を外すときには、上側のスライドジッパー２４を下限まで引き下げるとともに、一対のスライドジッパー２４、２６をジッパー挿入部３０から外し、また防寒帯１２を台ベルト２から除去し、台ベルト２を胴回りから取ればよい。なお、すぐにウエストウォーマー１を再使用するときには防寒帯１２だけを除去し、台ベルト２を胴回りに取り付けたままにしておくことができる。
【００３３】
防寒帯１２を付けたままでトイレに行くときには、下側のスライドジッパー２６を上まで引き上げればよい。
【００３４】
以下、本発明の他の実施形態について説明する。これらの実施形態の構成のうち第１実施形態と同じ事柄については説明を省略する。
【００３５】
図１２から図１３は、本発明の第２実施形態に係るウエストウォーマーを示している。本実施形態では、上記接合手段２０として、上述のジッパー機構の代わりに、一方の側端部１６に一定の間隔で離間させた複数のスナップボタン３２と、他方の側端部に形成した同数のスナップボタン嵌合穴３４とを設けている。最も下位のスナップボタン３２及びスナップボタン嵌合穴３４は、帯部材１４の下端から一定距離を離して配置している。この構成によれば、防寒帯１２を外すときに、側端部１６の適所（例えば最下位のスナップボタン３２より下方の帯部材部分）を把持して一気に外側へ引っ張ると、スナップボタン３２をスナップ嵌合穴３４から離脱させる作業と、台ベルト２の第１ファスナー部１０を防寒帯１２の第２ファスナー部４０から剥がす作業とを同時に行うことができる。従って防寒帯１２の除去を一連の作業として素早く行うことができる。
【００３６】
図１４から図１５は、本発明の第３実施形態に係るウエストウォーマーを示している。本実施形態では、後身頃１４ａと右前身頃１４ｃとの境目並びに後身頃１４ａと右前身頃１４ｃとの境目の境目において帯部材１４の丈を短くしている。そうすることで本願のウエストウォーマー１の外見は、恰も上半身に身に着けたシャツの一部が外に出たような形態となり、遊びの場にふさわしい着崩した感覚が得られる。
【符号の説明】
【００３７】
１…ウエストウォーマー  ２…台ベルト  ４…ベルト板  ６…端部
８…固定手段  ８ａ…第１固定部  ８ｂ…第２固定部
１０…第１ファスナー部  
１２…防寒帯  １４…帯部材  １４ａ…後身頃  １４ｂ…左前身頃  １４ｃ…右前身頃
１６…側端部  １８…上端部分  
２０…接合手段  ２２Ａ、２２Ｂ…ジッパーテープ  ２４、２６…スライドジッパー
２８…ジッパーストッパ  ３０…ジッパー挿入部  ３２…スナップボタン
３４…スナップボタン嵌合穴
４０…第２ファスナー部
Ｆ…ファスナー手段
【図１】
2014156681.tif 000003
【図２】
2014156681.tif 000004
【図３】
2014156681.tif 000005
【図４】
2014156681.tif 000006
【図５】
2014156681.tif 000007
【図６】
2014156681.tif 000008
【図７】
2014156681.tif 000009
【図８】
2014156681.tif 000010
【図９】
2014156681.tif 000011
【図１０】
2014156681.tif 000012
【図１１】
2014156681.tif 000013
【図１２】
2014156681.tif 000014
【図１３】
2014156681.tif 000015
【図１４】
2014156681.tif 000016
【図１５】
2014156681.tif 000017